(57)【特許請求の範囲】
【請求項１】
上部に開口部を形成した外箱と、前記外箱の開口部から当該外箱内にスライド可能に収納される内箱よりなり、前記内箱の内部空間内に筆記具を収容することができる筆記具収納ケースであって、
前記内箱を構成する背面板の上端縁には、蓋体板が連結形成され、前記内箱を前記外箱内に収容した状態において、前記内箱に連結された蓋体板の一部に形成された係合部を、前記外箱の前面板に形成された被係合部に係合することで、前記内箱内に収容された筆記具を前記蓋体板で覆うと共に、前記外箱に対して前記内箱がスライド不可能に取り付けられ、かつ前記外箱と前記内箱とは、それぞれ一枚の板体により構成されており、前記外箱を構成する前面板の上端縁には、内箱内に折曲げられて内箱に収容された筆記具に当接可能な押さえ板が連結形成されていることを特徴とする筆記具収納ケース。
【請求項２】
前記内箱を構成する前面板の上下方向の寸法は、前記内箱に収容される筆記具の軸方向の長さよりも小さく設定されていることを特徴とする請求項１に記載された筆記具収納ケース。
【請求項３】
前記内箱を構成する前面板または背面板、もしくは前面板および背面板の一部には、内箱内に折曲げられて内箱内に突出する折曲げ突出部が形成され、かつ前記外箱における押さえ板には、前記内箱がスライドした時に内箱内に形成された折曲げ突出部が入り込む切欠き溝が前記スライド方向に形成され、
前記内箱内に形成された折曲げ突出部が、前記外箱の押さえ板に形成された前記切欠き溝の最奥部に当接することで、前記外箱から内箱が離脱するのを阻止するように構成されていることを特徴とする請求項１に記載された筆記具収納ケース。
【請求項４】
前記外箱は一枚の板体を折曲げて形成され、縦方向に形成された折曲げ線を介して貼着片、側面板、前面板、側面板、背面板が順に連結形成され、横方向に形成された折曲げ線を介して前記前面板の上端縁に押さえ板、前記背面板の下端縁に底面板が連結形成されていることを特徴とする請求項１ないし請求項３のいずれか１項に記載された筆記具収納ケース。
【請求項５】
前記内箱は一枚の板体を折曲げて形成され、縦方向に形成された折曲げ線を介して貼着片、背面板、側面板、前面板、側面板が順に連結形成され、横方向に形成された折曲げ線を介して前記背面板の上端縁に蓋体連結板、蓋体板が順に連結形成されると共に、前記背面板の下端縁に底面板が連結形成されていることを特徴とする請求項１ないし請求項３のいずれか１項に記載された筆記具収納ケース。
【発明の詳細な説明】
【技術分野】
【０００１】
この発明は、複数本の筆記具を並立状態に整列して収容することができると共に、各筆記具の取り出し操作を容易にすることができる筆記具収納ケースに関する。
【背景技術】
【０００２】
例えば、それぞれに発色の異なった複数本のマーカーペンなどの筆記具をセット販売するような場合には、複数本の各筆記具を箱状の収納ケース内に並立状態に整列して収容した形態が採用され、この状態で店頭等に陳列される。
【０００３】
前記した箱状の筆記具収納ケースは、収容される筆記具の外形形状および寸法に応じて、従来より種々の構造が提案されているが、いずれにしてもコストがかからずに組み立ててが容易であることなどを考慮する必要があり、また筆記具の種類に応じては、各筆記具が透視できる透明な素材により形成される必要もある。
【０００４】
このために、この種の筆記具収納ケースは、次に例示する先行技術文献に開示のように、透明なポリプロピレンなどの薄板状の素材を用い、これを折り曲げ加工して箱状に形成したものが採用されている。
【０００５】
すなわち特許文献１には、一枚のポリプロピレンなどのブランク板を用い、縦横の折曲げ線を利用して箱状に折曲げ形成し、複数本の筆記具を並立状態に収容することができる筆記具収納ケースが開示されている。また特許文献２には、前記特許文献１に開示の構成に加えて、ケースを構成する箱内に仕切り板を設けて、筆記具の並びが崩れるのを防止することが開示されている。
【０００６】
さらに特許文献３には、ケースを構成する箱内に別部材による中板を収容し、この中板の両側に傾斜部を形成させて、一端が太く他端が細い複数の筆記具を、扇状に整列させて収容することができる筆記具収納ケースが開示されている。
【先行技術文献】
【特許文献】
【０００７】
【特許文献１】実開平１−７６４１４号公報
【特許文献２】特開２００３−１９０１８号公報
【特許文献３】実用新案登録第３０６９９２３号公報
【発明の概要】
【発明が解決しようとする課題】
【０００８】
ところで、前記した特許文献１〜３に開示の筆記具収納ケースにおいては、いずれも複数本の筆記具を収納ケース内に並立状態に収容するように構成されていることから、収納ケースの縦方向の寸法は筆記具の軸方向の長さにほぼ等しいか、もしくはそれ以上の寸法に構成する必要がある。このために、筆記具を収納ケースから取り出す場合において、筆記具を選択的に取り出し難いという難点があり、この点の工夫が必要である。
【０００９】
この発明は、前記した点に配慮してなされたものであり、筆記具を収納ケースから取り出す際の操作を容易にすることができる筆記具収納ケースを提供することを主たる課題とするものであり、さらにケース内に収容した状態の各筆記具が、持ち運び中にケース内で揺動するのを押さえることができるなど、その他の工夫も施した筆記具収納ケースを提供することを課題とするものである。
【課題を解決するための手段】
【００１０】
前記した課題を解決するためになされたこの発明にかかる筆記具収納ケースは、上部に開口部を形成した外箱と、前記外箱の開口部から当該外箱内にスライド可能に収納される内箱よりなり、前記内箱の内部空間内に筆記具を収容することができる筆記具収納ケースであって、前記内箱を構成する背面板の上端縁には、折曲げ線を介して蓋体板が連結形成され、前記内箱を前記外箱内に収容した状態において、前記内箱に連結された蓋体板の一部に形成された係合部を、前記外箱の前面板に形成された被係合部に係合することで、前記内箱内に収容された筆記具を前記蓋体板で覆うと共に、前記外箱に対して前記内箱がスライド不可能に取り付けられ、かつ前記外箱と前記内箱とは、それぞれ一枚の板体により構成されており、前記外箱を構成する前面板の上端縁には、内箱内に折曲げられて内箱に収容された筆記具に当接可能な押さえ板が連結形成されていることを特徴とする。
【００１１】
この場合、前記内箱を構成する前面板の上下方向の寸法は、前記内箱に収容される筆記具の軸方向の長さよりも小さく設定されていることが望ましい。
【００１２】
そして、好ましい形態においては、前記内箱を構成する前面板または背面板、もしくは前面板および背面板の一部には、内箱内に折曲げられて内箱内に突出する折曲げ突出部が形成され、かつ前記外箱における押さえ板には、前記内箱がスライドした時に内箱内に形成された折曲げ突出部が入り込む切欠き溝が前記スライド方向に形成され、前記内箱内に形成された折曲げ突出部が、前記外箱の押さえ板に形成された前記切欠き溝の最奥部に当接することで、前記外箱から内箱が離脱するのを阻止するように構成される。
【００１３】
また、前記外箱は好ましくは一枚の板体を折曲げて形成され、この外箱の好ましい実施の形態においては、縦方向に形成された折曲げ線を介して貼着片、側面板、前面板、側面板、背面板が順に連結形成され、横方向に形成された折曲げ線を介して前記前面板の上端縁に押さえ板、前記背面板の下端縁に底面板が連結形成された構成が採用される。
【００１４】
さらに、前記内箱も好ましくは一枚の板体を折曲げて形成され、この内箱の好ましい実施の形態においては、縦方向に形成された折曲げ線を介して貼着片、背面板、側面板、前面板、側面板が順に連結形成され、横方向に形成された折曲げ線を介して前記背面板の上端縁に蓋体連結板、蓋体板が順に連結形成されると共に、前記背面板の下端縁に底面板が連結形成された構成が採用される。
【発明の効果】
【００１５】
前記した構成の筆記具収納ケースによると、上部に開口部を形成した外箱と、前記外箱の開口部から当該外箱内にスライド可能に収納される内箱よりなり、前記内箱の内部空間内に筆記具を収容するように構成されているので、前記内箱を前記外箱の開口部からスライドさせて引き出すことで、内箱内に並立状態に収容された筆記具を選択的に取り出すことができ、その取り出し操作を容易にすることができる。
【００１６】
また、前記内箱を構成する背面板の上端縁には、折曲げ線を介して蓋体板を連結形成し、前記蓋体板の一部に形成された係合部を、外箱の前面板に形成された被係合部に係合することができるように構成したので、係合状態において前記内箱内に収容された筆記具は前記蓋体板で覆われ、前記外箱に対して前記内箱がスライド不可能になされる。これにより、複数本からなる筆記具セットの保管や搬送、また店頭等における陳列状態において、筆記具収納ケースの本来の機能を発揮することができる。
【００１７】
さらに、前記外箱を構成する前面板の上端縁には、内箱内に折曲げられて内箱に収容された筆記具に当接可能な押さえ板が連結形成されているので、ケース内に収容した状態の各筆記具が、持ち運び中などにケース内で揺動するのを押さえることができ、ケース内での各筆記具の揺動による不要な衝撃音の発生を防止させることができる。
【００１８】
さらにまた、前記内箱には、内箱内に突出する折曲げ突出部が形成され、かつ前記外箱における押さえ板には前記折曲げ突出部が入り込む切欠き溝が前記内箱のスライド方向に形成され、両者の作用により前記外箱から内箱が離脱するのを阻止するストッパーの機能を持たせたので、筆記具収納ケースとして組み立てた状態の外箱と内箱が離れるのを効果的に防止させることができる。
【００１９】
加えて、前記内箱内に突出する折曲げ突出部は、収容された複数本の筆記具間の仕切り板として機能させることもできるので、複数本の筆記具を整然と並立させた状態で収容することができる。
【図面の簡単な説明】
【００２０】
【図１】この発明にかかる筆記具収納ケースの全体構成を示した斜視図である。
【図２】図１に示す筆記具収納ケースを構成する外箱と内箱とを分離して示した斜視図である。
【図３】外箱を展開した状態の平面図である。
【図４】内箱を展開した状態の平面図である。
【発明を実施するための形態】
【００２１】
この発明にかかる筆記具収納ケースについて、図に示す実施の形態に基づいて説明する。この筆記具収納ケースは、ポリプロピレンに代表される透明または半透明の比較的硬質な合成樹脂による板体を用い、これを縦または横方向に形成された折曲げ線を介して折曲げることにより形成される。
【００２２】
この筆記具収納ケースは、外箱１と内箱２１より構成されており、図３および図４に示す外箱および内箱の展開図においては、各折曲げ線により区画された各板体に符号を付けて説明し、図１および図２に示す組み立て図においては、その代表的な部分に符号を付けて説明する。
【００２３】
図１に示す筆記具収納ケースの組み立て状態の斜視図、図２に示す外箱と内箱とを分離して示した斜視図に示すように、この実施の形態にかかる筆記具収納ケースは、全体が偏平な直方体に形成され、外箱１の上部には開口部２が形成されると共に、前記外箱１の開口部２から内箱２１が外箱内にスライド可能に収納されている。そして、前記内箱２１の内部空間２２内に、図示せぬ複数本のマーカーペンなどの筆記具が並立状態に整列して収容することができるように構成されている。
【００２４】
前記外箱１は、図３に展開図で示すように一枚の板体により構成されている。なお、図３においては細い線で示した部分が折曲げ線であり、図３に示す各折曲げ線は後述する筆記具押さえ板８を除いて、全て９０度の山折りになされる。
【００２５】
すなわち、外箱１を構成する板体は、縦方向に形成された各折曲げ線を介して貼着片３、側面板４、前面板５、側面板６、背面板７が順に連結形成されている。前記前面板５の上端縁には、横方向に形成された折曲げ線を介して筆記具の押さえ板８が連結形成され、前記前面板５の下端縁には、横方向に形成された折曲げ線を介して底面板９および内折片１０が順に連結形成されている。なお、前記押さえ板８には、その中央部に折曲げ線に達する切欠き溝８ａが形成されている。
【００２６】
また、前記した各側面板４および６の下端縁には、横方向の折曲げ線を介して耳片１１，１２がそれぞれ連結形成されると共に、背面板７における下端縁のほぼ中央部には、横方向の折曲げ線を介して差込み片１３が連結形成されている。加えて、前記底面板９および内折片１０を連結する折曲げ線の線上のほぼ中央部には、切込み溝１４が形成されており、外箱１を組み立てた場合において、前記切込み溝１４に前記差込み片１３が差込み挿入されることになる。
【００２７】
なお、前記前面板５の上端縁近傍には、被係合部１５としての切り抜き孔が形成されている。これには後述する内箱２１における蓋体板２９に形成された係合部３６が係合されることで、収納ケースが閉塞状態になされるように機能する。
【００２８】
図３に示した外箱１を構成する板体は、縦方向に形成された各折曲げ線を利用して順次９０度の山折り状態にすることで、背面板７の側端部が貼着片３に重ね合わされる。そして、背面板７の側端部と貼着片３とは、接着テープ、液剤による貼り付け、熱による溶着等の手段を利用して接着される。
【００２９】
この時、前記した筆記具の押さえ板８は、内側に折曲げられて、押さえ板８の先端部は背面板７の内面に当接した状態になされる。また前記耳片１１，１２を内側に折り曲げ、続いて内折片１０および底面板９を内側に折曲げて、内折片１０が背面板７の内面に接した状態で、前記差込み片１３を前記切込み溝１４に差込み挿入することで、外箱１を組み立てることができる。
【００３０】
一方、前記内箱２１も図４に展開図で示すように一枚の板体により構成されている。なお、図４においても細い線で示した部分が折曲げ線であり、図４に示す各折曲げ線は全て９０度の山折りになされる。
【００３１】
内箱２１を構成する板体は、縦方向に形成された各折曲げ線を介して貼着片２３、背面板２４、側面板２５、前面板２６、側面板２７が順に連結形成されている。前記背面板２４の上端縁には、横方向に形成された折曲げ線を介して蓋体連結板２８および蓋体板２９が順に連結形成されている。また、前記背面板２４の下端縁には、横方向に形成された折曲げ線を介して底面板３０および内折片３１が順に連結形成されている。
【００３２】
さらに、前記した各側面板２５および２７の下端縁には、横方向の折曲げ線を介して耳片３２，３３がそれぞれ連結形成されると共に、前面板２６における下端縁のほぼ中央部には、横方向の折曲げ線を介して差込み片３４が連結形成されている。加えて、前記底面板３０および内折片３１を連結する折曲げ線の線上のほぼ中央部には、切込み溝３５が形成されており、内箱２１を組み立てた場合において、前記切込み溝３５に差込み片３４が差込み挿入されることになる。
【００３３】
また、前記蓋体板２９には、前記した外箱１の前面板５に形成された被係合部１５としての切り抜き孔に係合する係合部３６が、コ字状の切込み溝として形成されている。さらに背面板２４および前面板２６には、内箱２１内に折曲げられて内箱内に突出する折曲げ突出部３７および３８がコ字状の切込み溝３９，４０によりそれぞれ形成されており、各折曲げ突出部３７および３８には、水平方向への切込み溝３９ａ，４０ａがそれぞれ形成されている。
【００３４】
図４に示した内箱２１を構成する板体は、縦方向に形成された各折曲げ線を利用して順次９０度の山折り状態にすることで、側面板２７が貼着片２３に重ね合わされる。そして、側面板２７と貼着片２３とは、前記した外箱１の場合と同様に接着テープ、液剤による貼り付け、熱による溶着等の手段を利用して接着される。
【００３５】
この時、前記した折曲げ突出部３７および３８は内側に折曲げられ、折曲げ突出部３７，３８に形成された水平方向への切込み溝３９ａ，４０ａを利用して、各折曲げ突出部３７および３８が互いにクロスするようにして重ね合わされる。続いて、耳片３２，３３を内側に折り曲げると共に、前記内折片３１および底面板３１を順に内側に折曲げる。そして、内折片３１が前面板２６の内面に接した状態で、前記差込み片３４を前記切込み溝３５に差込み挿入することで、内箱２１を組み立てることができる。
【００３６】
なお、前記した内箱２１を構成する前面板２６の上下方向（高さ方向）の寸法は、前記内箱に収容される筆記具の軸方向の長さよりも小さく設定されている。すなわち、内箱２１に収容される筆記具の軸方向の長さは、内箱を構成する背面板２４の上下方向の寸法にほぼ近いものであり、この実施の形態においては、背面板２４の上下方向の寸法に対して、前面板２６の上下方向の寸法は、ほぼ半分程度に設定されている。
【００３７】
前記した構成により、後述するように外箱１から内箱２１をスライドさせて引き出した時に、内箱２１内に並立状態に配列された筆記具の上半部が内箱２１の前面板２６の上に露出され、したがって筆記具を選択的に取り出す操作を容易にすることができる。
【００３８】
斯くして、前記のようにして組み立てられた内箱２１は、図２に示したように外箱１の上部に形成された前記開口部２内にスライド可能に挿入される。この挿入の過程で外箱１に形成された筆記具押さえ板８は、前面板５に密着する程度に折曲げられ、外箱１に内箱２１が完全に挿入された図１に示す状態においては、筆記具押さえ板８は内箱２１内に入り込む。
【００３９】
これにより、前記筆記具押さえ板８は、前記前面板５との間の折曲げ線における弾性復帰の作用により、内箱２１内に収容された図示せぬ筆記具の軸筒に当接し、筆記具が揺動するのを押さえることができる。
【００４０】
加えて、前記押さえ板８に形成された切欠き溝８ａは、内箱２１のスライド方向に形成され、内箱２１内に形成された折曲げ突出部３７，３８を跨ぐようになされているので、内箱２１のスライド動作を円滑にすることができる。また、外箱１から内箱２１をスライドさせて引き出した場合には、内箱内２１に形成された折曲げ突出部３８，３９が、前記外箱の押さえ板８に形成された前記切欠き溝８ａの最奥部に当接し、前記外箱１から内箱２１が離脱するのを阻止するように機能するストッパーとして作用する。
【００４１】
なお、前記したように外箱１から内箱２１をスライドさせて引き出した場合に、内箱２１の前面板２６の上端縁が、外箱１の前面板５と押さえ板８との折り返し部に当たることで、外箱１から内箱２１が離脱するのを阻止するストッパーとしての機能を持たせるようにしてもよい。
【００４２】
そして、図１に示された組み立て状態においては、外箱の前面板５に形成された切り抜き孔による被係合部１５に、内箱２１の蓋体板２９に形成された係合部３６が係合されることで、収納ケースは閉塞状態になされ、内箱２１内に収容された筆記具が蓋体板２９によって覆われると共に、外箱１に対する内箱２１のスライド動作が阻止されるようになされる。
【符号の説明】
【００４３】
１      外箱
２      開口部
５      前面板
７      背面板
８      筆記具押さえ板
８ａ    切欠き溝
１５    被係合部
２１    内箱
２２    内部空間
２４    背面板
２６    前面板
２９    蓋体板
３６    係合部
３７    折曲げ突出部
３８    折曲げ突出部
【図１】
0005633956.tif 000002
【図２】
0005633956.tif 000003
【図３】
0005633956.tif 000004
【図４】
0005633956.tif 000005